(57)【要約】【課題】気体燃料を着火源として台所における火災消火の体験に適した消火体験装置を提供する。【解決手段】  上面１０ａが開放され、所定の深さまで不燃性媒体１０ｂが注入された鍋形燃焼トレー１０と、前記鍋形燃焼トレー１０の底部に設けられた気体燃料ガス導入部９と、前記ガス導入部９に気体燃料ガスを供給する燃料供給部１００と、前記鍋形燃焼トレー１０の上部に設けられた点火プラグ７とを備え、前記気体燃料ガス導入部９の上面に前記気体燃料ガス導入部９に導入された気体燃料ガスを不燃性媒体１０ｂ中に分散放出するように設けられたガス放出部を設ける。【選択図】図１
2014182312.tif 000002
【特許請求の範囲】
【請求項１】
上面１０ａが開放され、所定の深さまで不燃性媒体１０ｂが注入された鍋形燃焼トレー１０と、前記鍋形燃焼トレー１０の底部に設けられた気体燃料ガス導入部９と、前記ガス導入部９に気体燃料ガスを供給する燃料供給部１００と、前記鍋形燃焼トレー１０の上部に設けられた点火プラグ７とを備え、前記気体燃料ガス導入部９の上面に前記気体燃料ガス導入部９に導入された気体燃料ガスを不燃性媒体１０ｂ中に分散放出するように設けられたガス放出部を設けてなる消火体験装置。
【請求項２】
請求項１に記載の消火体験装置において、鍋形燃焼トレー１０を二重底とし、内底９ａと下底９ｂ間の空間に気体燃料ガスが導入されるように構成され、内底９ａに気体燃料ガスの放出孔１２ａを設けてなる消火体験装置。
【請求項３】
請求項１に記載の消火体験装置において、鍋形燃焼トレー１０の底部中央部に設けられた気体燃料ガスの導入部２０と、前記気体燃料ガスの導入部２０から導入された気体燃料ガスを周縁から拡散不燃性媒体１０ｂ中に拡散させるように拡散板２１を前記鍋形燃焼トレーの底に設けてなる消火体験装置。
【請求項４】
請求項１に記載の消火体験装置において、鍋形燃焼トレー１０の底部中央部に設けられた気体燃料ガスの導入部２０と、前記気体燃料ガスの導入部２０の開口部２０ａと連通しかつ周縁に向けて放射状に設けられた気体燃料ガスの流路管３１ａを形成した気体燃料ガス放出板３１を設けてなる消火体験装置。
【請求項５】
背面板５０と背面板５０の左右にそれぞれ連設された左側面板５０Ｌ及び右側面板５０Ｒによって前記鍋形燃焼トレーの背面側と左右側面を取り囲んでなる請求項１、２、３又は４に記載の消火体験装置。
【発明の詳細な説明】
【技術分野】
【０００１】
本発明は、消火体験装置に関し、特に揚げ物等の油調理において、鍋中の油に引火することにより発生するような火災について、実際の火災に近い状態での消火活動を体験することができる台所火災の消火体験装置に関するものである。
【背景技術】
【０００２】
一般家庭において、台所は火気を使用するため常に火災発生の危険をはらんでおり、特に  揚げ物調理は、油を使用するために火災発生の危険度が高いとされている。
そこで、台所火災の危険性を実演により体験できる装置が提案されている（特許文献１参照）。
【０００３】
従来、消火訓練において、金属等からなる浅底の燃焼トレー（オイルパンともいわれる）に水を注入し、その上に灯油を注入して比重の関係から灯油をを表面に浮遊させる装置が使用されている。訓練にあたっては、灯油に着火して模擬火災を発生させ、この模擬火災に対して消火器から消火剤を噴射して消火する。
【０００４】
また、防災センター等屋内における消火体験装置としては、パネル上に『炎』と印刷された模擬炎又はスクリーン上に投射された映像の模擬炎に消火器から消火剤を噴射して消火する装置が一般的である。屋内における消火体験装置で使用される消火剤としては、水が使用されている。その理由は、周囲を汚さないようにするためである。
【０００５】
周囲を汚さないで消火動作を体験できる装置として、水のような不燃性媒体を燃焼トレー内に収容し、この不燃性媒体中にガス放出管を埋設ないし沈設して、このガス放出管から放出される気体燃料（例えばプロパンガスのように空気より比重の大きい気体燃料）に着火して模擬火災を発生させ、水消火器から発生させた模擬火災に水を噴射させることにより消火を体験させる装置が提案されている（特許文献２、特許文献３及び特許文献４参照）。
【０００６】
かかる体験装置は、ガス放出管から不燃性媒体中に放出されたプロパンガスが、不燃性媒体中を通過する間に拡散するため、着火したときにガソリン、石油又はジェット燃料のような液体燃料がまき散らされたときの火災の様相を呈するという特徴を有している。
【先行技術文献】
【特許文献】
【０００７】
【特許文献１】特開２０１１−２２５４５号公報
【特許文献２】特許第２，５０１，６９２号公報
【特許文献３】特開２０１０−２１０８７８号公報
【特許文献４】特開２０１２−３０００７号公報
【発明の概要】
【発明が解決しようとする課題】
【０００８】
火災発生時の初期消火には、消火器の使用が有効である。しかしながら、火元が鍋の油であるときに、消火器を火元に直接噴射すると、油が飛散して延焼する危険性があるため、壁面に噴射して勢いを弱めた消火剤を火元に投入するような工夫が必要とされる。
前記特許文献１に開示された装置にあっては、台所火災の危険性を実演により体験することはできるものの、油を入れたフライパンを発火源として使用することを前提とすることしか開示されていない。
油に引火したとき、従って油調理火災の危険性の認識経験に乏しい者が特許文献１に開示された装置において消火作業を体験すべく消火器を操作すると、火元に直接消火剤を噴射してしまうおそれがあり極めて危険である。従って特許文献１に開示されている装置は、消火動作を体験するための装置としては適していない。
【０００９】
一方特許文献２、特許文献３及び特許文献４に開示されている装置は油を火元とするものではないので、消火器を直接火元に噴射しても火源が飛散するおそれはない。
しかしながら、水のような不燃性媒体を燃焼トレー内に収容し、この不燃性媒体中にガス放出管を埋設ないし沈設するような装置であることから、台所火災をイメージするためにトレーを鍋形にすると、火炎がトレー全面に拡がらないことがあり、台所火災の消火を体験するための装置としてふさわしいものであるとは言えないものであった。
【００１０】
本発明は、気体燃料を着火源として台所における火災消火の体験に適した消火体験装置を提供することを課題とする。
【課題を解決するための手段】
【００１１】
請求項１に記載の発明は、上面１０ａが開放され、所定の深さまで不燃性媒体１０ｂが注入された鍋形燃焼トレー１０と、前記鍋形燃焼トレー１０の底部に設けられた気体燃料ガス導入部９と、前記ガス導入部９に気体燃料ガスを供給する燃料供給部１００と、前記鍋形燃焼トレー１０の上部に設けられた点火プラグ７とを備え、前記気体燃料ガス導入部９の上面に前記気体燃料ガス導入部９に導入された気体燃料ガスを不燃性媒体１０ｂ中に分散放出するように設けられたガス放出部を設けてなる消火体験装置である。
【００１２】
また、請求項２に記載の発明は、請求項１に記載の消火体験装置において、鍋形燃焼トレー１０を二重底とし、内底９ａと下底９ｂ間の空間に気体燃料ガスが導入されるように構成され、内底９ａに気体燃料ガスの放出孔１２ａを設けてなる消火体験装置である。
【００１３】
さらに、請求項３に記載の発明は、請求項１に記載の消火体験装置において、鍋形燃焼トレー１０の底部中央部に設けられた気体燃料ガスの導入部２０と、前記気体燃料ガスの導入部２０から導入された気体燃料ガスを周縁から拡散不燃性媒体１０ｂ中に拡散させるように拡散板２１を前記鍋形燃焼トレーの底に設けてなる消火体験装置である。
【００１４】
さらに、請求項４に記載の発明は、請求項１に記載の消火体験装置において、鍋形燃焼トレー１０の底部中央部に設けられた気体燃料ガスの導入部２０と、前記気体燃料ガスの導入部２０の開口部２０ａと連通しかつ周縁に向けて放射状に設けられた気体燃料ガスの流路管３１ａを形成した気体燃料ガス放出板３１を設けてなる消火体験装置である。
【００１５】
さらに、請求項５に記載の発明は、背面板５０と背面板５０の左右にそれぞれ連設された左側面板５０Ｌ及び右側面板５０Ｒによって前記鍋形燃焼トレーの背面側と左右側面を取り囲んでなる請求項１、２、３又は４に記載の消火体験装置である。
【発明の効果】
【００１６】
請求項１〜４の発明によれば、鍋で揚げ物のように多量の油を用いた調理中に引火したときと類似の模擬火災を発生させることができる。
また請求項５の発明によれば、燃焼トレー内の火炎を消火器を用いて消火する操作を模擬的に、かつ火炎による熱さもあわせて実感しながら体験することができる。
【図面の簡単な説明】
【００１７】
【図１】請求項２に係る発明の一実施例を示し、（ａ）は鍋形燃焼トレー要部の平面図、（ｂ）は（ａ）図のＢ−Ｂ線断面図である。
【図２】請求項３に係る発明の一実施例を示し、（ａ）は鍋形燃焼トレー要部の平面図、（ｂ）は（ａ）のＢ−Ｂ線断面図である。
【図３】請求項４に係る発明の一実施例を示し、（ａ）は鍋形燃焼トレー要部の平面図、（ｂ）は（ａ）図のＢ−Ｂ線断面図である。
【図４】請求項５に係る発明の一実施例を示す正面図である。
【図５】（ａ）は図４の平面図、（ｂ）は（ａ）図のＢ−Ｂ線断面図である。
【発明を実施するための形態】
【００１８】
以下図面にしたがって本発明を実施するための形態を説明する。
【００１９】
図面に示される消火体験装置において、鍋形燃焼トレー１０の材質、寸法は、家庭で通常使用される揚げ物用鍋と同等であればよく、例えば、材質としては、鉄、ステンレスなどが挙げられる。日常使用されている揚げ物鍋を材料としてもよい。
【００２０】
図１に示される装置においては、鍋形燃焼トレー１０を二重底とし、内底９ａと下底９ｂ間の空間に気体燃料ガスが導入されるように構成され、内底９ａに気体燃料ガスの放出孔１２ａを設けてなるものである。  
【００２１】
下底９ｂを構成する部材は、内底９ａの下側に取り付けられ、内底９ａと下底９ｂ間に気体燃料ガス（以下単にガスという）が流れる空間９ｃが形成されるような形状であり、かつ前記空間９ｃからガスが漏洩しないようにパッキン等を介してねじ等適宜の手段により鍋形燃焼トレー本体に取り付けられる。
【００２２】
下底９ｂを構成する部材の中心部には、ガスホース用の継ぎ手１４が取り付けられている。取り付け手段としては、ガス用ホース継ぎ手の取り付けに汎用されている手段、例えば、テーパーネジや溶接などの手段によることができ、特に制限はない。
燃料供給部１００からのガスは前記継ぎ手１４に取り付けられたホース１５を通って鍋形燃焼トレー１０に供給される。
【００２３】
また、ガスを供給するためのガスボンベは、点火スイッチ、後述する点火用の電源となる電池ボックス及びガス開閉バルブを備えた操作部にまとめられている（図示省略）。
これらは、操作者により操作される。
【００２４】
内底９ａには、ガス放出孔１２ａが設けられている。
【００２５】
ここで用いられるガスとしては、価格、入手のしやすさの観点から、プロパンガスが好ましい。価格、入手のしやすさを無視するなら、ブタンガスも使用できる。
【００２６】
鍋形燃焼トレー１０には使用時に不燃性媒体１０ｂを注入する。不燃性媒体１０ｂとしては水が好ましく使用されるが、水のほか、砂利その他通気性のよい固体媒質であってもよい。
鍋形燃焼トレー１０の側面適宜の位置にオーバーフロー穴１０ｃがあけられている。
オーバーフロー穴１０ｃは、不燃性媒体１０ｂの深さが内底９ａから４〜６ｃｍになるような個所に設けるのが好ましい。
【００２７】
鍋形燃焼トレー１０の上面の一部には、上部が閉塞され下部において燃焼トレー１０に注入された不燃性媒体１０ｂの上側の空間１１ａに連通している空間１１ｂを形成するような形状の保護カバー１１が設けられる。
【００２８】
そして、その電極部が前記空間１１ｂの天井部に位置するようにして、点火プラグ７が取り付けられる。点火プラグ７の頭部及びイグナイタ５からの給電部は、保護カバー１１内に取り付けられた筐体１３により覆われて保護されるように構成される。また、点火プラグ７には、イグナイタ５で発生する高電圧が印加され、電極部に放電を生じさせる。
点火プラグ７は、不燃性媒体１０ｂの上面から２〜７ｃｍ上方に取り付けるのが好ましい。
【００２９】
ガス放出孔１２ａから放出されたガスは、図面に示されるように、不燃性媒体１０ｂ中を上昇しつつ拡散し、空間１１ａに滞留する。そして、その一部は上昇して保護カバー内の空間１１ｂに到達し、そのタイミングにあわせて、点火プラグ７に高電圧を印加すれば、放電により着火することができ、その炎が空間１１ａに滞留しているガスに伝播して模擬火災を発生させる。
【００３０】
図２は他の形態を示す図面である。本図においては鍋形燃焼トレー１０の要部のみを示し、点火機構は省略した。
図２に示される装置は、鍋形燃焼トレー１０の底にボスを溶接してガスホース用の継ぎ手１４とし、鍋形燃焼トレーの底にガスを拡散させる拡散板２１を設けたものである。
拡散板２１は、鍋形燃焼トレー１０の鍋底の平らな部分の直径より１〜２ｃｍ小さい形状で、厚さが１ｍｍ程度であり、鍋形燃焼トレー１０の鍋底と１〜３ｍｍ間隔を持たせて取り付けられる。またその材質はステンレスが好ましい。
【００３１】
図３に示される装置は、鍋形燃焼トレー１０の底部中央部に設けられた気体燃料ガスの導入部２０と、前記気体燃料ガスの導入部２０の開口部２０ａと連通しかつ周縁に向けて放射状に設けられた気体燃料ガスの流路管３１ａを形成した気体燃料ガス放出板３１を設けてなるものである。
気体燃料ガス放出板３１は好ましくは厚さ６ｍｍのステンレス板に流路管３１ａを形成してなる。流路管３１ａの内径は１〜２ｍｍが好ましく、図示のように６〜８本を放射状に設けるのが好ましい。
【００３２】
以上図２及び図３に示された装置においては、いずれの装置においても、供給されたガスが拡散板２１又はガス放出板３１の周縁から不燃性媒体１０ｂ中に拡散するようになるほかは図２に示される装置と同様であるので、説明は省略する。
【００３３】
本発明において、鍋形燃焼トレー１０は、図４及び図５に示されるように、ガスコンロ又はガスレンジを模したベース６０に載置されるのが好ましい。ベース６０は伸縮可能に構成された三脚６１によって高さを調整できるようにされる。そして、ベース６０には、背面板５０と背面板５０の左右にそれぞれ連設された左側面板５０Ｌ及び右側面板５０Ｒによって前記鍋形燃焼トレー１０の背面側と左右側面を取り囲むように構成されるのが好ましい。背面板５０と左右側面板５０Ｌ，５０Ｒの連設は蝶番によるのが好ましい。また背面板５０と左右側面板５０Ｌ，５０Ｒは鍋形燃焼トレー１０の上縁より若干上の高さで上下に分割され、上下の背面板５０を蝶番で連設されるのが好ましい。収納時に、左右の側面板５０Ｌ，５０Ｒが背面板５０に重なるように折り畳み、さらに手前側に倒すことでコンパクトに収納できる。
【００３４】
かかる消火体験装置を用いて消火作業を体験するための一連の操作を以下に説明する。
【００３５】
操作者がガス開閉バルブを開状態にすることによりガスがガス放出部（ガス放出孔１２ａ等）から放出され、不燃性媒体１０ｂを通って拡散し、燃焼トレー１０に注入された不燃性媒体１０ｂの上側の空間１０ｃに滞留する。
【００３６】
操作者は、頃合いを見計らって、点火スイッチを押し下げる。そうすると、電流がイグナイタ５に供給され、イグナイタ５で発生した高電圧が点火プラグ７電極部に印加されて、放電し、放電のスパークによりガスに着火し、その火炎が鍋形燃焼トレー１０に注入された不燃性媒体１０ｂの上側の空間１１ａに滞留しているガスに拡大して模擬火災を生ずる。  
【００３７】
その状態で、消火作業を体験しようとする者（体験者）が、適宜の消火器を用いて消火剤を模擬火災に向けて噴射する。
ここで用いる消火剤としては特に制限されるものではないが、水を使用するのが好ましい。
【００３８】
本消火体験装置においては、気体燃料が着火源であるため、水を消火剤とする消火器を使用して模擬火災を完全に鎮火させることは、熟練者であっても困難である。このため、体験者による消火器の使用状況等を勘案して、開閉バルブにより操作者が模擬火災の火勢を適宜調節し、体験者の消火作業の進行状況を見計らって、ガス開閉バルブを閉にすることにより燃焼を停止させ、一連の体験操作を終了するようにするのが好ましい。
【符号の説明】
【００３９】
７    点火プラグ
９    気体燃料ガス導入部
９ａ  内底
９ｂ  下底
１０    鍋形燃焼トレー
１０ａ  上面１０ａ（鍋形燃焼トレーの）
１０ｂ  不燃性媒体
１２ａ  ガス放出孔
２０    気体燃料ガス導入部
２０ａ  開口部
２１    拡散板
３１    ガス放出板
３１ａ  流路管
５０    背面板
５０Ｌ  左側面板
５０Ｒ  右側面板
１００    燃料供給部
【図１】
2014182312.tif 000003
【図２】
2014182312.tif 000004
【図３】
2014182312.tif 000005
【図４】
2014182312.tif 000006
【図５】
2014182312.tif 000007